(57)【要約】【課題】ユーザが受信を望まない回を含む可能性がある繰り返し受信予約において、ユーザの手間を軽減することを課題とする。【解決手段】複数回に亘って放送される番組の受信予約を一括して設定することが可能な放送受信装置において、ユーザが受信を望まない番組であるか否かを判定するためのキーワードを保持するキーワード保持部２１と、受信予約が行われた複数回の放送番組のうちの個別の回の番組情報を取得する番組情報取得部２２と、番組情報取得部２２によって取得された個別の回の番組情報に、キーワード保持部２１によって保持されるキーワードが含まれるか否かを判定する判定部２３と、判定部２３によって、個別の回の番組情報にキーワードが含まれると判定された場合に、個別の回の受信を抑止する抑止部２４と、を備えた。【選択図】図２
2009060193.tif 000002
【特許請求の範囲】
【請求項１】
複数回に亘って放送される番組の受信予約を一括して設定することが可能な放送受信装置であって、
ユーザが受信を望まない番組であるか否かを判定するためのキーワードを保持するキーワード保持部と、
前記受信予約が行われた複数回の放送番組のうちの個別の回が受信される前に、該個別の回の番組情報を取得する番組情報取得部と、
前記番組情報取得部によって取得された該個別の回の番組情報に、前記キーワード保持部によって保持されるキーワードが含まれるか否かを判定する判定部と、
前記判定部によって、前記個別の回の番組情報に前記キーワードが含まれると判定された場合に、該個別の回の受信を抑止する抑止部と、
を備える、放送受信装置。
【請求項２】
前記判定部は、前記個別の回が受信される前に、前記番組情報取得部によって取得された該個別の回の番組情報を、前記キーワード保持部によって保持されるキーワードを用いて検索することで、該番組情報に前記キーワードが含まれるか否かを判定する、
請求項１に記載の放送受信装置。
【請求項３】
前記抑止部は、前記受信予約が視聴予約である場合には前記個別の回の表示処理を抑止し、前記受信予約が録画予約である場合には前記個別の回の録画処理を抑止する、
請求項１または２に記載の放送受信装置。
【請求項４】
複数回に亘って放送される番組の受信予約を一括して設定することが可能な放送受信部を備えるコンピュータによって、
前記受信予約が行われた複数回の放送番組のうちの個別の回が受信される前に、該個別の回の番組情報を取得する番組情報取得ステップと、
前記番組情報取得ステップで取得された該個別の回の番組情報に、前記コンピュータのキーワード保持部によって保持されるキーワードが含まれるか否かを判定する判定ステップと、
前記判定ステップで、前記個別の回の番組情報に前記キーワードが含まれると判定された場合に、該個別の回の受信を抑止する抑止ステップと、
が実行される、受信抑止方法。
【請求項５】
複数回に亘って放送される番組の受信予約を一括して設定することが可能な放送受信部を備えるコンピュータを、
前記受信予約が行われた複数回の放送番組のうちの個別の回が受信される前に、該個別の回の番組情報を取得する番組情報取得手段と、
前記番組情報取得手段によって取得された該個別の回の番組情報に、前記コンピュータのキーワード保持部によって保持されるキーワードが含まれるか否かを判定する判定手段と、
前記判定手段によって、前記個別の回の番組情報に前記キーワードが含まれると判定された場合に、該個別の回の受信を抑止する抑止手段と、
として機能させる、受信抑止プログラム。
【発明の詳細な説明】
【技術分野】
【０００１】
本装置は、複数回に亘って放送される番組の受信予約を一括して設定することが可能な放送受信装置に関する。
【背景技術】
【０００２】
従来、番組情報内に不適切として設定された語句が有る場合に、番組情報表示時にこの語句を非表示にするデジタル放送受信装置があり（特許文献１を参照）、また、受信装置側で放送に視聴制限を付加し、番組の出力を制限するデータ処理装置があり（特許文献２を参照）、ジャンル情報に基づいて、視聴を希望しないジャンル情報に係る番組データをチューナから取得することを禁止する番組処理装置がある（特許文献３を参照）。
【０００３】
また、ユーザが番組を絞り込むための情報と新規番組情報とに基づいて、新規番組がユーザが望む番組であるか否かを判定し、ユーザが望む番組であった場合にはユーザに通知する放送受信装置があり（特許文献４を参照）、ユーザによって予め設定された視聴しない番組に関連するキーワードに合致する番組が視聴されている場合に、他のサービスを選局して、他のサービスの番組情報を取得する番組情報取得装置がある（特許文献５を参照）。
【特許文献１】特開２００１−１５７１８８号公報
【特許文献２】特開２００６−１８６９８１号公報
【特許文献３】特開２００６−１３７２４号公報
【特許文献４】特開２０００−３５８１９９号公報
【特許文献５】特開２００６−２９５４５１号公報
【発明の開示】
【発明が解決しようとする課題】
【０００４】
従来、放送受信装置や録画装置等において、毎週放送されるシリーズ番組等、定期的に複数回放送される番組をまとめて視聴予約または録画予約することが行われている。しかし、例えばバラエティ番組等、シリーズ番組ではあるものの毎週内容が変わるもの、出演者の一部が変わるものが多い。このため、シリーズ番組中の特定の回のみユーザの好みに適合しないことがある。また、野球やサッカー等のスポーツ番組においても、特定の回のみユーザの好みに適合しないことがある。
【０００５】
ここで、従来の視聴予約方法または録画予約方法では、上記した問題に動的に対処することは出来ない。このため、従来の視聴予約方法または録画予約方法では、好みに適合しない回も含めてシリーズ番組を全て予約するか、ユーザが毎回番組内容を確認して予約するか否かを判断し、シリーズ番組の個々の回について「１回録画」を設定する他なかった。しかし、好みに適合しない回も含めてシリーズ番組を全て予約する方法では、好みに適合しない回を視聴してしまったユーザが不快感を感じたり、録画用の記憶領域が無駄に消費されてしてしまうという問題があり、シリーズ番組の個々の回について「１回録画」を設定する方法では、手間がかかる上、ユーザが予約を失念してしまう可能性があるという問題がある。
【０００６】
本装置は、上記した問題に鑑み、ユーザが受信を望まない回を含む可能性がある繰り返し受信予約において、ユーザの手間を軽減することを課題とする。
【課題を解決するための手段】
【０００７】
本装置は、上記した課題を解決するために、受信予約された複数回の放送番組のうち、
所定のキーワードが番組情報に含まれる回の受信を抑止することで、ユーザが受信を望まない回を含む可能性がある繰り返し受信予約において、ユーザの手間を軽減することを可能にした。
【０００８】
詳細には、本装置は、複数回に亘って放送される番組の受信予約を一括して設定することが可能な放送受信装置であって、ユーザが受信を望まない番組であるか否かを判定するためのキーワードを保持するキーワード保持部と、前記受信予約が行われた複数回の放送番組のうちの個別の回が受信される前に、該個別の回の番組情報を取得する番組情報取得部と、前記番組情報取得部によって取得された該個別の回の番組情報に、前記キーワード保持部によって保持されるキーワードが含まれるか否かを判定する判定部と、前記判定部によって、前記個別の回の番組情報に前記キーワードが含まれると判定された場合に、該個別の回の受信を抑止する抑止部と、を備える、放送受信装置である。
【０００９】
ここで、複数回に亘って放送される番組とは、毎週放送されるシリーズ番組等の定期的に複数回放送される番組や、不定期であってもシリーズとして複数回放送される番組等である。また、ここで「受信」とは、放送波の受信を含む処理全般をいい、視聴のための再生や、録画を含むものとする。
【００１０】
本装置は、予め設定されたキーワードが番組情報に含まれるか否かを判定する。ここで、キーワードは、ユーザが受信を望まない番組であるか否かを判定するためのキーワードであるため、番組情報にキーワードが含まれる番組（複数回の番組のうちの個別の回）は、ユーザが受信を望まない番組であると判断できる。
【００１１】
本装置は、このような番組の受信（視聴または録画）を抑止する。即ち、本装置に拠れば、ユーザの手間を軽減出来ることに加えて、録画に必要となる記録領域の節約、装置の不要な起動を抑止することによる節電、等の効果を得ることも出来る。
【００１２】
また、前記判定部は、前記個別の回が受信される前に、前記番組情報取得部によって取得された該個別の回の番組情報を、前記キーワード保持部によって保持されるキーワードを用いて検索することで、該番組情報に前記キーワードが含まれるか否かを判定してもよい。
【００１３】
例えば、番組情報に、番組の出演者の名前や番組の内容が含まれている場合、キーワードとして、ユーザの嗜好や希望に合わない出演者の名前や番組の内容を設定することで、設定された名前や内容を含む番組情報に係る番組、即ち、ユーザが受信を望まない番組の受信を抑止することが可能となる。
【００１４】
更に、上記本装置による処理は、コンピュータが実行する方法、又はコンピュータに実行させるプログラムとしても提供することが可能である。また、そのようなプログラムをコンピュータその他の装置、機械等が読み取り可能な記録媒体に記録して提供してもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００１５】
本装置によって、ユーザが受信を望まない回を含む可能性がある繰り返し受信予約において、ユーザの手間を軽減することが可能となる。
【発明を実施するための最良の形態】
【００１６】
以下、放送受信装置、受信抑止方法およびプログラムの実施の形態について、図面に基
づいて説明する。
【００１７】
図１は、本実施形態における放送受信装置を備えるパーソナルコンピュータ１のハードウェア構成の概略を示す図である。パーソナルコンピュータ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２等の主記憶装置、ＨＤＤ（Ｈａｒｄ  Ｄｉｓｋ  Ｄｒｉｖｅ）１３等の補助記憶装置、ＲＯＭ（Ｒｅａｄ  Ｏｎｌｙ  Ｍｅｍｏｒｙ）１４、受信装置１５、ネットワークデバイス１９、リモコン１８ａ、リモコン操作受信部１８ｂ、ディスプレイ１６等の表示装置、キーボード１７ａ、およびマウス１７ｂ等を有する。
【００１８】
ＨＤＤ１３には、システムを管理するためのオペレーティングシステム（以下、ＯＳ）、パーソナルコンピュータ１が有するかまたはパーソナルコンピュータ１に接続されたデバイスを制御するためのデバイスドライバ、およびパーソナルコンピュータ１において起動されるアプリケーション等がインストールされている。また、ＨＤＤ１３には、放送波から復調された圧縮動画データが記録されることで、放送の録画が行われる。
【００１９】
また、ＨＤＤ１３には、テレビアプリケーションがインストールされている。本実施形態においてパーソナルコンピュータ１にインストールされているテレビアプリケーションは、予めユーザ等によって設定された時刻に起動し、ディスプレイ１６に予約されたチャンネルの内容を表示することでユーザにテレビジョン放送を視聴させる視聴予約機能と、予めユーザ等によって設定された時刻に、予約されたチャンネルの内容を録画する録画予約機能と、を有する。テレビアプリケーションを実行するＣＰＵ１１は、受信装置１５から取得した信号を処理することで、ディスプレイ１６に表示されるウィンドウ中に動画を表示させてユーザにテレビジョン放送を視聴させ、また、受信装置１５から取得した信号をＨＤＤ１３に記録させることで、テレビジョン放送を録画する。
【００２０】
リモコン１８ａは、所謂赤外線方式のリモコン１８ａであり、対応するリモコン操作受信部１８ｂは、リモコン１８ａより発信された赤外線を受信することで、リモコン１８ａにおける操作内容を受け付ける。ユーザは、リモコン１８ａを操作することで、テレビアプリケーションの起動や、バックグラウンドで起動しているテレビアプリケーションの呼出、視聴予約または録画予約、パーソナルコンピュータ１の節電状態からの復帰、ディスプレイ１６の節電状態からの復帰等を行うことが出来る。
【００２１】
受信装置１５は、アンテナ１５ａ、チューナ１５ｂ、および復調器１５ｃを有し、デバイスドライバを実行するＣＰＵ１１によって制御される。受信装置１５は、アンテナ１５ａを用いて放送波を受信し、チューナ１５ｂを用いてチャンネルを選択する。そして、受信装置１５は、復調器１５ｃを用いてチャンネルの放送波に基づいた復調処理および圧縮動画データストリーム（本実施形態では、ＴＳ信号）の生成処理を行う。生成されたＴＳ信号は、バスを介して出力される。テレビアプリケーションを実行するＣＰＵ１１は、受信装置１５より出力されたＴＳ信号に基づいて、動画を構成する各フレームのピクチャを生成する（デコード処理）。そして、生成されたピクチャに基づく映像信号がディスプレイ１６へ出力され、ディスプレイ１６が映像信号に基づく映像を表示することで、テレビジョン放送の視聴が可能となる。
【００２２】
ネットワークデバイス１９は、テレビアプリケーションが、ネットワークを介して電子番組表を取得する際に用いられる。本実施形態において、テレビアプリケーションは、ネットワーク経由または放送波経由の何れからでも、電子番組表を取得出来るものとする。通常、電子番組表はテレビアプリケーションによって定期的に取得され、ＲＡＭ１２またはＨＤＤ１３に記録される。
【００２３】
図２は、本実施形態における放送受信装置を備えるパーソナルコンピュータ１の機能構成の概略を示す図である。図１に示したハードウェア構成を有するパーソナルコンピュータ１は、ＨＤＤ１３上にインストールされたＯＳ、デバイスドライバ、および表示領域制御プログラムをＣＰＵ１１が読み出してＲＡＭ１２に展開し、展開されたプログラムを解釈および実行するＣＰＵ１１によってパーソナルコンピュータ１に備えられた各構成が制御されることで、後述するキーワード保持部２１と、番組情報取得部２２と、判定部２３と、抑止部２４と、放送受信部２５と、を備える放送受信装置として機能する。但し、上記各機能部は、夫々個別に、または複数の機能部をまとめて、専用のハードウェアによって実現されてもよい。
【００２４】
キーワード保持部２１は、ユーザが視聴または録画を望まない番組であるか否かを判定するための抑止キーワードを、ＨＤＤ１３に記録させることで保持する。即ち本実施形態において、ＨＤＤ１３には、予めユーザによって設定された抑止キーワードを含む抑止キーワードテーブルが記録されている。ユーザは、例えば、自身の嗜好に合わない出演者の名前や、嗜好に合わない番組内容を示す語句等、視聴または録画したくない内容の番組の番組情報に含まれると予想されるキーワードを、抑止キーワードとして予め抑止キーワードテーブルに登録する。抑止キーワードテーブルには、抑止キーワードが所謂平文で含まれる。なお、本実施形態では、抑止キーワードテーブルにおいて、登録されたキーワードが出演者名であるか内容であるか等は区別されない。また、ユーザは、自身の嗜好以外にも、子供に視聴させたくない内容の番組の番組情報に含まれると予想されるキーワードを、抑止キーワードとして登録してもよい。
【００２５】
番組情報取得部２２は、視聴予約または録画予約が行われた複数回の放送番組のうちの、直後の視聴または録画に係る個別の回の番組情報を電子番組表から取得する。通常、電子番組表は、予め放送波経由またはネットワーク経由で取得されてＲＡＭ１２やＨＤＤ１３等に記録されている。
【００２６】
判定部２３は、番組情報取得部２２によって取得された番組情報を、抑止キーワードテーブルに含まれるキーワードを用いて検索することで、番組情報に抑止キーワードが含まれるか否かを判定する。本実施形態において、番組情報には内容情報および出演者情報が所謂平文で含まれるものとする。このため、同様に平文で保持される抑止キーワードを用いて、番組情報を文字列で検索することが可能である。
【００２７】
抑止部２４は、判定部２３によって番組情報に抑止キーワードが含まれると判定された場合に、該当する番組の受信を抑止する。本実施形態では、番組の受信の抑止には、後述する予約テーブル３中の次回抑止情報３６が用いられる。次回抑止情報３６を用いた具体的な受信抑止の方法については、後述する。
【００２８】
放送受信部２５は、放送波を受信し、ディスプレイ１６に映像を表示させることでユーザにテレビ番組を視聴させたり、ＨＤＤ１３に圧縮動画データを記録させることでテレビ番組を録画したりする機能を有する。即ち、放送受信部２５は、主に、テレビアプリケーションを実行するＣＰＵ１１、およびＣＰＵ１１によって制御される受信装置１５に相当する。また、本実施形態における放送受信部２５は、複数回に亘って放送される番組の受信予約を一括して設定することが可能である。
【００２９】
図３は、本実施形態に係る予約テーブル３の内容を示す図である。予約テーブル３は、複数回の録画のために必要な情報として、少なくとも、開始時刻３１、終了時刻３２、曜日情報３３、チャンネル情報３４、抑止対象情報３５、および次回抑止情報３６を含む予約情報３０が蓄積されるテーブルである。テレビアプリケーションは、チャンネル情報３４に指定されたチャンネルにおける、曜日情報３３に指定された曜日の、開始時刻３１か
ら終了時刻３２までの番組を再生または録画する。本実施形態において、予約テーブル３は視聴予約用の予約テーブル３と、録画予約用の予約テーブル３との２つあり、夫々テレビアプリケーションによって作成されてＨＤＤ１３に記録される。なお、本実施形態では、録画予約用の予約テーブル３と、視聴予約用の予約テーブル３とを異なる予約テーブル３としたが、予約情報３０中に録画予約であるか視聴予約であるかを識別するための情報を付加することで、録画予約と視聴予約とを単一の予約テーブル３によって管理してもよい。
【００３０】
ここで、抑止対象情報３５は、対応する予約情報３０が、本実施形態に係る抑止処理の対象となるか否かを識別するための情報である。抑止対象情報３５には、「有効」「無効」を示す情報が設定される。テレビアプリケーションは、ユーザによって予約の設定が行われたタイミングで、ユーザに対して「抑止キーワードを含む回の視聴（または録画）を抑止しますか？」等の内容のダイアログを出力し、マウス１７ａ等の入力装置を用いてユーザに視聴または録画の抑止処理を行うか否かを選択させる。ユーザによって抑止処理を行うことが選択された場合、抑止対象情報３５には「有効」が設定され、ユーザによって抑止処理を行わないことが選択された場合、抑止対象情報３５には「無効」が設定される。
【００３１】
また、次回抑止情報３６は、該当する予約情報３０に係る番組を、「次回１回のみ視聴または録画しない」ことを示す情報である。次回抑止情報３６には、「有効」「無効」を示す情報が設定される。次回抑止情報３６は、ユーザによって予約が行われ、予約情報３０が作成された時点で、「無効」に初期化される。
【００３２】
図４は、本実施形態に係る録画抑止設定処理の流れを示すフローチャートである。本フローチャートに示された処理は、システムのタイマー設定により、ユーザによって設定された録画開始時刻３１の一定時間前（例えば、５分前）に開始される。但し、本フローチャートに示された処理が開始されるタイミングは、本フローチャートに示された処理を録画開始時刻３１までに終了することが可能なタイミングであれば、実施の形態毎に適宜設定されてよい。
【００３３】
また、本フローチャートに示された処理は、該当する予約情報３０中の抑止対象情報３５が「有効」に設定されている予約についてのみ実行される。このようにすることで、抑止対象情報３５が「無効」に設定されている予約、即ちユーザによって抑止処理を行わないことが選択された予約について、録画の抑止が行われてしまうことを防止出来る。
【００３４】
ステップＳ１０１では、番組情報が取得される。番組情報取得部２２は、予め放送波経由またはネットワーク経由で取得されていた電子番組表をＲＡＭ１２やＨＤＤ１３等から読み出し、この電子番組表の中から、これから録画が開始されようとしている番組の内容情報および出演者情報を含む番組情報を取得する。但し、電子番組表は、予め取得されていたものを用いるのではなく、録画抑止設定処理の都度外部から取得されてもよい。その後、処理はステップＳ１０２へ進む。
【００３５】
ステップＳ１０２では、抑止キーワードが取得される。判定部２３は、予めユーザによって、嗜好に適合しない番組を特定するためのキーワードが登録された抑止キーワードテーブルをＨＤＤ１３から読み出すことで、抑止キーワードを取得する。その後、処理はステップＳ１０３へ進む。
【００３６】
ステップＳ１０３およびステップＳ１０４では、直後に録画が開始される予定の番組情報に、抑止キーワードが含まれるか否かが判定される。判定部２３は、ステップＳ１０１で取得された番組情報（内容情報および出演者情報を含む）を、ステップＳ１０２で取得
された抑止キーワードテーブルに登録されたキーワードを用いて検索する。即ち、読み出された内容情報または出演者情報に、抑止キーワードテーブルに登録されたキーワードが含まれる場合、直後に録画が開始される予定の番組は、ユーザの嗜好に適合しない（ユーザが録画を望まない）と判断できる。番組情報に、抑止キーワードが含まれると判定された場合、処理はステップＳ１０５へ進む。番組情報に、抑止キーワードが含まれないと判定された場合、本フローチャートに示された処理は終了する。
【００３７】
ステップＳ１０５では、録画抑止設定が行われる。抑止部２４は、予約テーブル３中の該当する録画予約情報３０の、次回抑止情報３６を「有効」に設定する。その後、本フローチャートに示された処理は終了する。
【００３８】
図５は、本実施形態における録画開始前処理の流れを示すフローチャートである。本フローチャートに示された処理は、録画予約の設定時刻よりも一定時間（例えば、３分）前に開始される。但し、本処理が開始されるタイミングは、上記録画抑止設定処理の後、録画開始時刻３１の前であれば、実施の形態毎に適宜設定されてよい。
【００３９】
ステップＳ２０１では、次回抑止情報３６の設定状況が確認される。抑止部２４は、該当する録画予約情報３０の次回抑止情報３６を取得し、この情報が「有効」に設定されているか否かを判定する。次回抑止情報３６が「有効」であると判定された場合、処理はステップＳ２０２へ進む。また、次回抑止情報３６が「有効」でない（「無効」である）と判定された場合、処理はステップＳ２０３へ進む。
【００４０】
ステップＳ２０２では、次回抑止情報３６が初期化される。ここでは、ステップＳ２０１で次回抑止情報３６が「有効」であると判定されたため、録画処理がスキップされる。即ち、上記録画抑止設定処理で抑止キーワードが番組情報内に含まれると判断され、次回抑止情報３６を「有効」に設定された予約情報３０に係る番組は、録画されない。抑止部２４は、スキップされた録画予約情報３０の次回抑止情報３６を、「無効」に設定することで、次回抑止情報３６を初期化する。このようにすることで、次回（例えば、翌週）の回については、再び録画を抑止するか否かが録画抑止設定処理において判断されることとなる。その後、本フローチャートに示された処理は終了する。
【００４１】
ステップＳ２０３では、予約設定の内容通り、録画が行われる。放送受信部２５は、受信装置１５によって受信および復調され出力された圧縮動画データをＨＤＤ１３に記録することで、録画を行う。その後、本フローチャートに示された処理は終了する。
【００４２】
本実施形態に拠れば、録画を望まない番組を識別するためのキーワードが予め設定されていれば、ユーザは、従来通り繰り返し録画を設定するのみで、録画を望まない回が自動的に除かれた回のみを録画することが可能となる。即ち、本実施形態に係る放送受信装置によれば、毎回録画前に番組内容をチェックする等の、従来行う必要があったユーザの手間を軽減し、また、録画のために必要なＨＤＤ１３の記録領域を節約することが可能である。
【００４３】
以上、図４および図５を用いて、複数回の番組が録画予約された場合の処理の流れについて説明したが、複数回の番組が視聴予約された場合の処理についても、全体の処理の流れは同様である。視聴予約について視聴抑止設定処理（図４に示す録画抑止設定処理と同様の処理）および視聴開始前処理（図５に示す録画開始前処理と同様の処理）が行われることで、ユーザが視聴を望まない番組をディスプレイ１６に表示してユーザにチャンネルの切り替え操作を行わせることとなってしまったり、ユーザの他の作業を中断させてしまったりといったことを防止出来る。また、パーソナルコンピュータ１が起動していない状態である場合には、パーソナルコンピュータ１の起動が抑止されるために、節電効果も得
ることが出来る。
【００４４】
＜その他の実施形態＞
なお、上記実施形態では、本装置を、受信装置１５を備えたパーソナルコンピュータ１として説明したが、本装置は、テレビ受像機や、所謂ハードディスクレコーダ等の録画機として実施されてもよい。
【００４５】
また、上記実施形態では、受信予約の対象となる番組のジャンルに拘らず、予約設定時にユーザに問い合わせ、抑止対象情報３５を設定することで、その予約について抑止設定処理を行うか否かを決定したが、特定のジャンル（例えば、バラエティ）の番組について抑止設定処理が自動的に行われることとしてもよい。具体的には、電子番組表等から番組のジャンルを取得し、このジャンルが予め設定された抑止設定処理対象のジャンルであるか否かを判定することで、各回ごとの抑止設定処理を行うか否かを決定することが出来る。このようにすることで、抑止キーワードが含まれていたとしても視聴したいジャンル（ニュース等）の番組の視聴または録画が自動的に抑止されてしまうことを防止出来る。
【図面の簡単な説明】
【００４６】
【図１】実施形態における放送受信装置を備えるパーソナルコンピュータのハードウェア構成の概略を示す図である。
【図２】実施形態における放送受信装置を備えるパーソナルコンピュータの機能構成の概略を示す図である。
【図３】実施形態に係る予約テーブルの内容を示す図である。
【図４】実施形態に係る録画抑止設定処理の流れを示すフローチャートである。
【図５】実施形態における録画開始前処理の流れを示すフローチャートである。
【符号の説明】
【００４７】
１  パーソナルコンピュータ
１１  ＣＰＵ
１２  ＲＡＭ
１３  ＨＤＤ
１４  ＲＯＭ
１５  受信装置
１６  ディスプレイ
１９  ネットワークデバイス
２１  キーワード保持部
２２  番組情報取得部
２３  判定部
２４  抑止部
２５  放送受信部
３０  予約情報
３５  抑止対象情報
３６  次回抑止情報
【図１】
2009060193.tif 000003
【図２】
2009060193.tif 000004
【図３】
2009060193.tif 000005
【図４】
2009060193.tif 000006
【図５】
2009060193.tif 000007